(57)【要約】【課題】製造時の接着剤の木口面からのはみ出しを抑制することができる化粧板及び化粧板の製造方法を提案する。【解決手段】本発明の化粧板は、木口面１０を有する板状の木質基材１と、止水剤２と、接着層３と、エッジ材４とを備える。止水剤２は、木口面１０のうち木質基材１の厚み方向の両端部にそれぞれ浸透している。接着層３は、木口面１０のうち前記厚み方向の両端を除く部分に積層されている。エッジ材４は、接着層３を介して木口面１０に貼り付けられている。また、本発明の化粧板の製造方法は、板状の木質基材１が有する木口面１０のうち、木質基材１の厚み方向の両端部にそれぞれ、止水剤２を塗布して浸透させる。その後に、木口面１０のうち前記厚み方向の両端を除く部分に、接着剤３０を塗布する。そして、接着剤３０を介して木口面１０にエッジ材４を貼り付ける。【選択図】図１
2015199322.tif 000002
【特許請求の範囲】
【請求項１】
木口面を有する板状の木質基材と、
前記木口面のうち前記木質基材の厚み方向の両端部にそれぞれ浸透した止水剤と、
前記木口面のうち前記厚み方向の両端を除く部分に積層された接着層と、
前記接着層を介して前記木口面に貼り付けられたエッジ材と、を備えることを特徴とする化粧板。
【請求項２】
板状の木質基材が有する木口面のうち、前記木質基材の厚み方向の両端部にそれぞれ、止水剤を塗布して浸透させ、
その後に、前記木口面のうち前記厚み方向の両端を除く部分に、接着剤を塗布し、
前記接着剤を介して前記木口面にエッジ材を貼り付けることを特徴とする化粧板の製造方法。
【請求項３】
前記止水剤を、前記木口面の前記厚み方向の両端部のうち、前記厚み方向の最も端の箇所を除く部分にそれぞれ塗布し、
その後に、前記止水剤を前記箇所まで浸透させることを特徴とする請求項２に記載の化粧板の製造方法。
【請求項４】
前記止水剤を、加熱により前記箇所まで浸透させることを特徴とする請求項３に記載の化粧板の製造方法。
【発明の詳細な説明】
【技術分野】
【０００１】
本発明は、木質基材の木口面にエッジ材を貼り付けた化粧板、及びこの化粧板の製造方法に関する。
【背景技術】
【０００２】
特許文献１には、ＭＤＦ（中密度繊維板）やパーティクルボード等の木質基材の端面、つまり木口面に接着剤を用いてエッジ材を貼り付けた扉が提案されている。
【０００３】
特許文献１の扉、つまり化粧板は、木口面に接着剤が塗布され、この木口面にエッジ材が接着され、このとき木口面からはみ出した接着剤が除去されて製造される。
【先行技術文献】
【特許文献】
【０００４】
【特許文献１】特開２００４−３５１６７４号公報
【発明の概要】
【発明が解決しようとする課題】
【０００５】
上述した特許文献１の化粧板は、製造工程の１つに、接着剤のはみだした部位を除去する処理工程が必要となるため、この工程の分だけ製造効率が低下するといった問題があった。
【０００６】
上記事情を鑑みて、本発明は、製造時の接着剤の木口面からのはみ出しを抑制することができる化粧板及び化粧板の製造方法を提案することを課題とする。
【課題を解決するための手段】
【０００７】
上記課題を解決するために本発明の化粧板は、木口面を有する板状の木質基材と、前記木口面のうち前記木質基材の厚み方向の両端部にそれぞれ浸透した止水剤と、前記木口面のうち前記厚み方向の両端を除く部分に積層された接着層と、前記接着層を介して前記木口面に貼り付けられたエッジ材と、を備えることを特徴とする。
【０００８】
また、上記課題を解決するために本発明の化粧板の製造方法は、板状の木質基材が有する木口面のうち、前記木質基材の厚み方向の両端部にそれぞれ、止水剤を塗布して浸透させ、その後に、前記木口面のうち前記厚み方向の両端を除く部分に、接着剤を塗布し、前記接着剤を介して前記木口面にエッジ材を貼り付けることを特徴とする。
【０００９】
また、本発明の化粧板の製造方法では、前記止水剤を、前記木口面の前記厚み方向の両端部のうち、前記厚み方向の最も端の箇所を除く部分にそれぞれ塗布し、その後に、前記止水剤を前記箇所まで浸透させることが好ましい。
【００１０】
また、本発明の化粧板の製造方法では、前記止水剤を、加熱により前記箇所まで浸透させることが好ましい。
【発明の効果】
【００１１】
本発明の化粧板は、木口面のうち木質基材の厚み方向の両端を除く部分に接着層が積層されるものとすることで、製造時に木口面のうち厚み方向の両端を除く部分に接着剤を塗布し、接着剤を介して木口面にエッジ材を貼り付けるようにして製造することができる。これにより、本発明の化粧板は、製造時の接着剤の木口面からのはみだしを抑制することができる化粧板となっている。
【００１２】
また、本発明の化粧板の製造方法では、木口面のうち厚み方向の両端を除く部分に接着剤を塗布し、この接着剤を介して木口面にエッジ材を貼り付けるようにすることで、製造時の接着剤の木口面からのはみ出しを抑制することができる。
【図面の簡単な説明】
【００１３】
【図１】本発明の一実施形態の化粧板を示し、Ａは化粧板全体の斜視図であり、Ｂは化粧板の側端部の断面図である。
【図２】Ａ〜Ｃは同上の化粧板の製造工程を示す説明図である。
【図３】Ａ，Ｂは同上の化粧板の製造工程のうち、止水剤の塗布及び浸透工程を示す説明図である。
【発明を実施するための形態】
【００１４】
以下、本発明の実施形態について添付図面に基づいて説明する。
【００１５】
図１Ａには、本発明の一実施形態の化粧板１００が示されている。化粧板１００は、キッチンや洗面化粧台の扉等の水回り商品に好適に用いられる。
【００１６】
化粧板１００は、木口面１０を有する板状の木質基材１と、止水剤２と、接着層３と、エッジ材４とを備える。以下では、図１Ａに示す状態を基準とし、矢印Ｘ１で示す方向を前方向とし、その反対方向を後方向とし、矢印Ｙ１で示す方向を右方向とし、その反対方向を左方向とし、矢印Ｚ１で示す方向を上方向とし、その反対方向を下方向として、各構成を説明する。
【００１７】
木質基材１は、平面視長方形状の板材であり、前後方向を長手方向とし、左右方向を短手方向とし、上下方向を厚み方向とする板材である。木質基材１は、中密度繊維板（ＭＤＦ）やパーティクルボードや合板等の木質材である。木質基材１の上面と下面には、オレフィンシートやメラミンシート等からなる化粧材シート１１が貼り付けられている。化粧材１１は、ＤＡＰ（ジアリルフタレート樹脂）を含浸させた樹脂含浸紙、メラミン樹脂を含浸させた樹脂含浸紙を用いた低圧メラミン化粧材や高圧メラミン化粧材、オレフィンシート、ＰＥＴ（ポリエチレンテレフタレート）シート等である。
【００１８】
木質基材１は、左右の側面に木口面１０を有する。図１Ａには、木質基材１の左側の木口面１０にエッジ材４を積層した例が示されている。なお、エッジ材４は、木質基材１の右側の木口面１０にも積層可能である。
【００１９】
止水剤２は、木口面１０のうち木質基材１の厚み方向の両端部、つまり上下の端部にそれぞれ浸透している。以下、木質基材１の厚み方向を、厚み方向と記載する。止水剤２は、木口面１０の厚み方向の一端部（上端部）において、厚み方向の最も端の箇所（上端）まで浸透し、木口面１０の厚み方向の他端部（下端部）において、厚み方向の最も端の箇所（下端）まで浸透している。止水剤２は、木口面１０に浸透する低粘度の材料であり、木口面１０に塗布されて木口面１０に浸透することで、木口面１０への水の染み込みを防止する。止水剤２は、例えば、ＭＤＩ（ジフェニルメタン−４，４´−ジイソシアネート）である。ＭＤＩは、無溶剤系の湿気硬化型の樹脂である。止水剤２の粘度は、例えば、５００ｍＰａ・ｓ程度以下である。
【００２０】
接着層３は、図１Ａ及び図１Ｂに示すように、木口面１０のうち厚み方向の両端を除く部分に積層されている。ここで、接着層３は、木口面１０のうち止水剤２が浸透した箇所に重なるように積層される。接着層３は、硬化した接着剤３０によって形成される層状のものである。接着剤３０としては、従来周知のホットメルト系の接着剤が用いられる。
【００２１】
エッジ材４は、接着層３を介して木口面１０に貼り付けられている。エッジ材４は、側面視長方形状（左側から視て長方形状）の板材である。エッジ材４は、前後方向を長手方向とし、上下方向を短手方向とし、左右方向を厚み方向とする板材である。エッジ材４の前後長さは、木質基材１の前後長さと同じである。なお、エッジ材４は、木質基材１よりも前後に長い長尺の基材を切断して木質基材１の前後長さに合わせるようにしたものであってもよい。エッジ材４は、例えば、ＡＢＳ樹脂やＰＰ（ポリプロピレン）樹脂で形成される。
【００２２】
続いて、本実施形態の化粧板１００の製造方法の一例について説明する。
【００２３】
本実施形態の化粧板１００は、図示しないベルトコンベア等の搬送装置によって、木質基材１を前方に搬送しながら、木質基材１の木口面１０に対して、前後方向に亘って下記の処理を行うことで製造される。
【００２４】
まず、図２Ａに示すように、木口面１０のうち厚み方向の両端部（つまり、上下の端部）にそれぞれ、止水剤２を塗布して浸透させる。このとき、止水剤２を、木口面１０の厚み方向の両端部のうち、厚み方向の最も端の箇所を除く部分にそれぞれ塗布する。つまり、止水剤２を、木口面１０の厚み方向の一端部（上端部）のうち、厚み方向の最も端（上端）の箇所を除く部分に塗布し、木口面１０の厚み方向の他端部（下端部）のうち、厚み方向の最も端（下端）の箇所を除く部分に塗布する。例えば、止水剤２を、木口面１０の厚み方向の両端部（上下端部）のうち、木口面１０の厚み方向の両端（つまり、上下端）から０．５〜１．０ｍｍの箇所を除く部分にそれぞれ塗布する。なお、この止水剤２の塗布箇所は、化粧シート材１１よりも内側の部位である。
【００２５】
止水剤２の木口面１０の厚み方向の両端部への塗布は、本実施形態では、図３Ａに示す塗布装置５を用いて行う。塗布装置５は、止水剤２が溜められた容器５０と、ドクターロール５１と、塗布ロール５２と、ブレード５３とを有する。この塗布装置５では、容器５０内の止水剤２が、回転するドクターロール５１を介して、回転する塗布ロール５２の外周面に供給される。そして、回転する塗布ロール５２の外周面に付着した止水剤２の厚みが、ブレード５３によって所定の厚みに調整される。そして、所定の厚み及び上下幅の止水剤２が、回転する塗布ロール５２によって木口面１０の厚み方向の一端部（図３Ａでは上端部）に塗布される。このとき、塗布ロール５２は、木口面１０のうち厚み方向の端（上端）から所定距離Ｌ１（Ｌ１＝０．５ｍｍ〜１．０ｍｍ）離れた部分に接触して、接触箇所に止水剤２の塗布を行う。なお、ブレード５３で取り除かれた止水剤２の過剰分は、容器５０に落下して、再利用される。そして、同様の構造の他の塗布装置５を用いて、木口面１０の厚み方向の他端部（下端部）に止水剤２を塗布する。
【００２６】
次いで、図２Ｂに示すように、止水剤２を木口面１０のうち厚み方向の最も端の箇所（上端または下端）まで浸透させる。本実施形態では、加熱により止水剤２を木口面１０のうち厚み方向の最も端の箇所まで浸透させる。
【００２７】
加熱による止水剤２の木口面１０への浸透は、図３Ｂに示すように、加熱装置６を用いて、木口面１０の厚み方向の一端部（上端部）の止水剤２を最も端（上端）の箇所まで浸透させる。その後、同様の構造の他の加熱装置６を用いて、木口面１０の厚み方向の他端部（下端部）の止水剤２を最も端（下端）の箇所まで浸透させる。加熱装置６は、例えば、集光型ヒーターである。なお、加熱装置６は、赤外線ランプやホットプレートであってもよいし、熱風を吹き付ける装置や、レーザーを照射する装置であってもよい。木口面１０の厚み方向の両端部（上端部及び下端部）それぞれへの止水剤２の浸透は、１つの加熱装置６を用いて同時に行うようにしてもよい。
【００２８】
次いで、図２Ｂに示すように、木口面１０のうち厚み方向の両端を除く部分に、上下方向に亘って、接着剤３０を塗布する。このとき、接着剤３０を、木口面１０のうち止水剤２が浸透した箇所に重なるように塗布する。ここで、接着剤３０の塗布範囲は、この後の工程で木口面１０の厚み方向の両端からはみ出さないように、設定する。接着剤３０の木口面１０への塗布は、例えば、図示しない塗布ロール等の塗布装置を用いて行われる。
【００２９】
次いで、図２Ｃに示すように、接着剤３０を介して木口面１０にエッジ材４を貼り付ける。エッジ材４の木口面１０への貼付は、例えばエッジバンダー（縁貼機）を用いて行う。そして、接着剤３０を、例えば従来周知の加熱装置を用いて硬化させる。なお、接着剤３０は、自然乾燥によって硬化させてもよい。
【００３０】
上述した各処理を木質基材１の木口面１０に対して行うことによって、図１Ａ及び図１Ｂに示す本実施形態の化粧板１００が製造される。製造された化粧板１００は、木質基材１と、木口面１０の厚み方向の両端部において最も端の箇所まで浸透した止水剤２と、木口面１０の厚み方向の両端を除く部分に積層された接着層３と、接着層３を介して木口面１０に積層されたエッジ材４とを備える。
【００３１】
以上説明した本実施形態の化粧板１００の製造方法では、接着剤３０を、木口面１０の厚み方向の両端を除いた部分に塗布するようにしたことで、エッジ材４を木口面１０に貼り付ける際に、接着剤３０が木口面１０からはみ出すことを抑制することができる。また、本実施形態の化粧板１００では、接着剤３０が硬化した接着層３が、木口面１０の厚み方向の両端に位置しないため、接着層３が露出しにくく、外観が向上したものとなっている。
【００３２】
また、本実施形態の化粧板１００の製造方法では、止水剤２を木口面１０の厚み方向の両端部に塗布して浸透させるようにしたことで、木口面１０の厚み方向の両端の、接着剤３０によって覆われていない部分の止水を、止水剤２によって行うことができる。
【００３３】
また、本実施形態の化粧板１００の製造方法では、止水剤２を木口面１０の厚み方向の両端部のうち、厚み方向の最も端の箇所を除く部分にそれぞれ塗布するようにしたことで、塗布時に止水剤２が木口面１０からはみ出すことも抑制することができる。
【００３４】
また、本実施形態の化粧板１００の製造方法では、加熱により止水剤２を木口面１０に浸透させるようにしたことで、浸透にかかる時間を短縮することができる。
【００３５】
なお、上述した実施形態では、止水剤２を、木口面１０の厚み方向の両端部のうち、木口面１０の厚み方向の最も端の箇所を除く部分にそれぞれ塗布する例について説明したが、止水剤２は、木口面１０の厚み方向の最も端の箇所にも塗布されるようにしてもよい。この場合、止水剤２を、木口面１０の厚み方向の最も端の箇所により確実に浸透させることができ、木口面１０の厚み方向の両端部の最も端の箇所まで止水性を確保できる。
【００３６】
また、上述した実施形態では、加熱により止水剤２を木口面１０に浸透させる例について説明したが、止水剤２の浸透は、加熱以外の他の手段で促進するようにしてもよいし、毛細管現象によって自然に行わせてもよい。
【００３７】
以上まとめると、本発明の化粧板は、上述した一実施形態の化粧板１００のように、下記の構成を備えることを特徴とする。
【００３８】
すなわち、本発明の化粧板は、木口面１０を有する板状の木質基材１と、止水剤２と、接着層３と、エッジ材４とを備える。止水剤２は、木口面１０のうち木質基材１の厚み方向の両端部にそれぞれ浸透している。接着層３は、木口面１０のうち前記厚み方向の両端を除く部分に積層されている。エッジ材４は、接着層３を介して木口面１０に貼り付けられている。
【００３９】
以上のように本発明の化粧板は、木口面１０のうち木質基材１の厚み方向の両端を除く部分に接着層３が積層されるものとしている。これにより、本発明の化粧板は、製造時に、木口面１０のうち厚み方向の両端を除く部分に接着剤３０を塗布し、この接着剤３０を介して木口面１０にエッジ材４を貼り付けるようにして製造することができる。したがって、本発明の化粧板は、製造時の接着剤３０の木口面１０からのはみ出しを抑制することができる化粧板となっている。加えて、本発明の化粧板では、木口面１０のうち厚み方向の両端部に止水剤２を浸透させているため、木口面１０のうち接着層３が積層されていない部分への水の染み込みを、止水剤２によって抑制することができる。
【００４０】
また、本発明の化粧板の製造方法は、上述した一実施形態の化粧板１００の製造方法のように、下記の構成を備えることを特徴とする。
【００４１】
すなわち、本発明の化粧板の製造方法は、板状の木質基材１が有する木口面１０のうち、木質基材１の厚み方向の両端部にそれぞれ、止水剤２を塗布して浸透させる。その後に、木口面１０のうち前記厚み方向の両端を除く部分に、接着剤３０を塗布する。そして、接着剤３０を介して木口面１０にエッジ材４を貼り付ける。
【００４２】
以上のように、本発明の化粧板の製造方法では、木口面１０のうち厚み方向の両端を除く部分に、接着剤３０を塗布するようにしたことで、木口面１０にエッジ材４を貼り付ける際に、接着剤３０が木口面１０からはみ出すことを抑制することができる。したがって、本発明の化粧板の製造方法は、製造時の接着剤３０の木口面１０からのはみ出しを抑制することができる製造方法となっている。加えて、本発明の化粧板の製造方法では、木口面１０のうち厚み方向の両端部に止水剤２を浸透させるため、木口面１０のうち接着剤３０が塗布されていない部分への水の染み込みを、止水剤２によって抑制することができる。
【００４３】
また、本発明の化粧板の製造方法は、上述した一実施形態の化粧板１００の製造方法のように、下記の構成を更に備えることが好ましい。
【００４４】
すなわち、本発明の化粧板の製造方法では、止水剤２を、木口面１０の前記厚み方向の両端部のうち、前記厚み方向の最も端の箇所を除く部分にそれぞれ塗布し、その後に、止水剤２を前記箇所まで浸透させる。
【００４５】
以上のように、本発明の化粧板の製造方法では、止水剤２を、木口面１０の厚み方向の両端部のうち、厚み方向の最も端の箇所を除く部分にそれぞれ塗布するようにしたことで、塗布時の止水剤２の木口面１０からのはみ出しも抑制することができる。加えて、本発明の化粧板の製造方法では、木口面１０の厚み方向の最も端の箇所まで止水剤２を浸透させるようにしたことで、止水剤２によって木口面１０の厚み方向の両端部のうち厚み方向の最も端の箇所までの止水を行うことができる。
【００４６】
また、本発明の化粧板の製造方法は、上述した一実施形態の化粧板１００の製造方法のように、止水剤２を、加熱により前記箇所まで浸透させることが好ましい。
【００４７】
以上のように本発明の化粧板の製造方法では、加熱により止水剤２を木口面１０の厚み方向の最も端の箇所まで浸透させるようにしたことで、時間経過により浸透させる場合に比べて、止水剤２の浸透にかかる時間を短縮することができる。
【００４８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４９】
１      木質基材
２      止水剤
３      接着層
４      エッジ材
１０    木口面
３０    接着剤
１００  化粧板
【図１】
2015199322.tif 000003
【図２】
2015199322.tif 000004
【図３】
2015199322.tif 000005